(57)【要約】第１側部部材、第２側部部材、上部横部材、及び下部横部材を備える、車両座席組み立て体に用いられる背もたれフレーム。この背もたれフレームは、座席組み立て体を通して衝突からの衝撃荷重を伝達する荷重伝達部材をさらに備える。
2013500904.tif 000002
【特許請求の範囲】
【請求項１】
第１端部、第２端部、内部表面及び外部表面を有する第１側部部材と、第１端部、第２端部、内部表面及び外部表面を有する第２側部部材であり、相互に離間されている第１側部部材と第２側部部材と、
前記第１側部部材の前記第１端部に結合される第１端部及び前記第２側部部材の前記第１端部に結合される第２端部を有する上部横部材と、
前記第１側部部材の前記第２端部に結合される第１端部及び前記第２側部部材の前記第２端部に結合される第２端部とを有する下部横部材と、
前記第１側部部材及び前記第２側部部材のうちの一つに結合される第１端部及び前記第１側部部材、前記第２側部部材及び前記下部横部材の一つに結合される第２端部を有する荷重伝達部材であり、座席組み立て体を通して衝撃からの荷重を伝達する荷重伝達構造として作用する荷重伝達部材と
を備える車両座席組み立て体に使用される背もたれフレーム。
【請求項２】
前記荷重伝達部材が前記下部横部材に斜め下向きに延びるように、前記荷重伝達部材の前記第１端部は前記第１側部部材及び第２側部部材の一つと結合され、前記第２側部は前記下部横部材に結合され、前記荷重伝達部材は前記座席組み立て体を通して衝撃からの荷重を伝達する荷重伝達構造として作用する、請求項１記載の背もたれフレーム。
【請求項３】
前記荷重伝達部材が下部横部材に斜め下向きに延びるように、前記荷重伝達部材の前記第１端部は前記下部横部材の中間部に結合し、前記第２端部は前記第２側部部材の中間部に結合し、前記荷重伝達部材は前記座席組み立て体を通して衝撃からの荷重を伝達する荷重伝達構造として作用する、請求項１記載の背もたれフレーム。
【請求項４】
前記荷重伝達部材の前記第１端部は、前記第１側部部材の中間部に結合され、前記荷重伝達部材の前記第２端部は前記第２側部部材の中間部に結合されて、前記荷重伝達部材は前記座席組み立て体を通して衝撃からの荷重を伝達する荷重伝達構造として作用する、請求項１記載の背もたれフレーム。
【請求項５】
第１端部及び第２端部を有し、第１側部部材の前記内側表面に結合される第１補強部材と、第１端部及び第２端部を有し、前記第２側部部材の前記内側表面に結合される第２補強部材とをさらに備え、前記第１補強部材の前記第１端部は前記中間横部材の前記第１端部を支持し、前記第２補強部材の前記第１端部は前記中間横部材の前記第２端部を支持する、請求項４記載の背もたれフレーム。
【請求項６】
前記上部横部材、前記下部横部材、及び前記荷重伝達部材の少なくとも一つは、管状である、請求項１記載の背もたれフレーム。
【請求項７】
前記上部横部材、前記下部横部材、及び前記荷重伝達部材は、矩形、円形、楕円形及びＣ形状断面の一つを有する、請求項１記載の背もたれフレーム。
【請求項８】
前記上部横部材及び前記荷重伝達部材は一体化され、単一の一体化部材を形成する、請求項１記載の背もたれフレーム。
【請求項９】
前記上部横部材及び前記荷重伝達部材は矩形の断面を有する管状である、請求項１記載の背もたれフレーム。
【請求項１０】
前記下部横部材は円形断面を有する管状であり、座席組み立て体を通して衝撃からの荷重を伝達する荷重伝達構造として作用する、請求項１記載の背もたれフレーム。
【請求項１１】
前記第１側部部材の前記中間部に結合される第１端部及び前記下部横部材の前記中間部に結合される第２端部を有する第２荷重伝達部材であって、前記下部横部材に斜め下向きに延びる第２荷重伝達部材をさらに備え、前記第２荷重伝達部材は前記座席組み立て体を通して衝撃からの荷重を伝達する荷重伝達構造として作用する、請求項１記載の背もたれフレーム。
【請求項１２】
水平及び斜めのパターンのうちの一つで背もたれフレームを横切って少なくとも部分的に延びる複数の荷重伝達部材をさらに備える、請求項１記載の背もたれフレーム。
【請求項１３】
第１端部、第２端部、内部表面及び外部表面を有する第１側部部材と、第１端部、第２端部、内部表面及び外部表面を有する第２側部部材であり、相互に離間されている第１側部部材と第２側部部材と、
前記第１側部部材の前記第１端部に結合される第１端部及び前記第２側部部材の前記第１端部に結合される第２端部を有する上部横部材と、
前記第１側部部材の前記第２端部に結合される第１端部及び前記第２側部部材の前記第２端部に結合される第２端部とを有する下部横部材と、
前記第２側部部材に結合される第１端部及び前記下部横部材に結合される第２端部を有する荷重伝達部材であって、前記荷重伝達部材が前記下部横部材に斜め下向きに、さらに前記車両の中央に向かって延びる荷重伝達部材であり、前記座席組み立て体を通る側部衝撃から荷重を伝達する荷重伝達構造として作用する単一の一体化部材を形成する前記上部横部材に一体化される、荷重伝達部材と
を備える車両座席組み立て体に使用される背もたれフレーム。
【請求項１４】
前記上部横部材及び下部横部材は管状であり、矩形断面を有する、請求項１３に記載の背もたれフレーム。
【請求項１５】
第１端部、第２端部、内部表面及び外部表面を有する第１側部部材と、第１端部、第２端部、内部表面及び外部表面を有する第２側部部材であり、相互に離間されている第１側部部材と第２側部部材と、
前記第１側部部材の前記第１端部に結合される第１端部及び前記第２側部部材の前記第１端部に結合される第２端部を有する上部横部材であり、管形状で矩形断面を有する上部横部材と、
前記第１側部部材の前記第２端部に結合される第１端部及び前記第２側部部材の前記第２端部に結合される第２端部とを有する下部横部材と、
前記第２側部部材に結合される第１端部及び前記下部横部材に結合される第２端部を有する荷重伝達部材であって、前記荷重伝達部材が前記下部横部材に斜め下向きに、さらに前記車両の中央に向かって延びる荷重伝達部材であり、管形状でさらに矩形の断面を有し、前記座席組み立て体を通る側部衝撃から荷重を伝達する荷重伝達構造として作用する単一の一体化部材を形成する前記上部横部材に一体化される、荷重伝達部材と
を備える車両座席組み立て体に使用される背もたれフレーム。
【発明の詳細な説明】
【技術分野】
【０００１】
（関連出願の相互参照）
本出願は、参照として本明細書に組み込まれる、２００９年８月４日に出願された米国仮出願特許第61/231,226の利益と優先権を主張する。
【０００２】
本開示は、全般的には車両用の座席分野に関し、さらに詳しくは車両座席用の側部衝撃荷重伝達構造に関する。
【背景技術】
【０００３】
（関連技術分野の説明）
様々な安全機能を有する車両座席を設けることが一般的に周知である。さらに、衝撃力を制御するための車両座席機構を設けることが一般的に知られている。例えば、乗員を座席内に固定するための座席ベルト、車両の衝突又は事故の間に車両の衝撃を最小化するため、又は乗員が負傷するのを防ぐために配置されるエアバッグが周知である。しかし、周知の安全機能は、費用がかかり、複雑で、さらに比較的嵩張るという、多くの不利な点を含むことになる。周知の安全機能は、ある条件下にあって、乗員に完璧な安全を提供できないので、不完全なままである。さらに、周知の安全機能は、車両の衝突からの衝撃力又は荷重を、車両乗員をより保護するために効果的に伝達することができない。
【発明の概要】
【発明が解決しようとする課題】
【０００４】
つまり、車両の側部衝撃のある衝突の間に、乗員に非常に大きな安全を提供し、衝撃のある衝突からの荷重力の向上された制御を提供し、従来より高い性能と、同時に、低コスト、低質量、低複雑性を提供し、比較的容易に製造され、異常な荷重を扱う能力及び乗員の保護ゾーンを有する向上された座席を提供する継続的な必要性が残っている。
【課題を解決するための手段】
【０００５】
すなわち、本開示は、第１側部部材、第２側部部材、上部横部材、及び下部横部材を含む車両座席組み立て体にて用いられる背もたれフレームに関する。この背もたれは、さらに、衝突の衝撃荷重を斜めに座席組み立て体を通して伝達する荷重伝達部材を含む。
【０００６】
本開示の有利な点は、座席組み立て体が車両の衝突からの衝撃荷重を座席を介し、さらに乗員から離れて従来より効果的に伝達することである。本開示の別の有利な点は、乗員の安全を高めることである。本開示のさらに別の有利な点は、座席組み立てのコストを低減しながらも、座席組み立て体が従来より高い安全性能を提供することである。
【０００７】
本開示の他の特徴及び有利な点は、添付の図面と関連して後述の説明を読んだ後に、より理解されると、容易に推察される。
【図面の簡単な説明】
【０００８】
【図１】一具現化例に係る車両の斜視図である。
【図２】一具現化例に係る座席組み立て体の斜視図である。
【図３】一具現化例に係る二つの車両間の側部衝撃の衝突を示す図である。
【図４】一具現化例に係る側部衝撃の衝突からの衝撃力を示す車両座席組み立て体を有する車両の内装の部分前方図である。
【図５】一具現化例に係る荷重伝達構造を有する背もたれの前方図である。
【図６】他の具現化例に係る荷重伝達構造を有する背もたれの前方からの斜視図である。
【図７】さらに他の具現化例に係る荷重伝達構造を有する背もたれの前方からの斜視図である。
【図８】さらに他の具現化例に係る荷重伝達構造を有する背もたれの前方図である。
【図９Ａ】他の具現化例に係る荷重伝達構造を有する背もたれフレームの前方図である。
【図９Ｂ】図９Ａの荷重伝達構造を有する背もたれフレームのＡ−Ａ線に沿った断面図である。
【図９Ｃ】図９Ａの荷重伝達構造を有する背もたれフレームのＢ−Ｂ線に沿った断面図である。
【図９Ｄ】図９Ａの荷重伝達構造を有する背もたれフレームのＤ−Ｄ線に沿った断面図である。
【図９Ｅ】図９Ａの荷重伝達構造を有する背もたれフレームのＣ−Ｃ線に沿った断面図である。
【図９Ｆ】図９Ａの荷重伝達構造を有する背もたれフレームのＥ−Ｅ及びＦ−Ｆ線に沿った断面図である。
【図１０Ａ】さらに他の具現化例に係る、荷重伝達構造の前方図である。
【図１０Ｂ】図１０Ａの背もたれフレームのＡ−Ａ線に沿った断面図である。
【図１１】さらに他の具現化例に係る、荷重伝達構造を有する背もたれフレームの前方図である。
【図１２】さらに他の具現化例に係る、荷重伝達構造を有する背もたれフレームの前方図である。
【発明を実施するための形態】
【０００９】
全般的に図面全体さらには特に図１を参照すると、一具現化例に係る車両１０が示されている。車両１０は、車両１０の乗員に提供される一つ以上の座席組み立て体１２を含むことができる。図示される車両１０は４ドアセダンではあるが、座席組み立て体１２はミニバン、スポーツ多目的車両、航空機、ボート、あるいは他の車両にも用いられるのが正しく理解される。
【００１０】
図２を参照すると、座席組み立て体１２が示されている。座席組み立て体１２は、座席乗員に快適さ、支持及び保護を提供するために、背もたれ１８を含む。座席クッション（基部）２０は、背もたれに操作可能に結合され、座席乗員に快適さ、支持及び保護を提供する。頭部保持部２２は、背もたれ１８の上部端部に配置される。座席組み立て体１２は、座席クッションに対して背もたれ１８の回転調整性を提供するために、背もたれ及び座席クッションに操作可能に結合されるリクライナ機構２４を含む。座席組み立て体は、軌道組み立て体２６を用いて車両に固定される。この具現化例の軌道組み立て体は、着席している乗員の快適さ或いは実用性のために、座席組み立て体１２の相対的な位置の調整性或いは移動性を提供する。背もたれ１８は、例えば、発泡体パッド２８、トリムカバー３０、及び一体型の背もたれ構造３２を含むことができる。座席クッション２０は、例えば、発泡体パッド３４、トリムカバー３６、及び一体型座席クッション構造３８を含むことができる。図示される座席組み立て体１２は、車両の前列にて典型的に用いられる一人用の座席であるが、一体型構造５は、第２列の長座席、第３列の折りたたみフラット座席などのようなどんな車両における使用にも座席の機能範囲のいかなるタイプをも使用できる、他の座席組み立て体に組み込まれてもよい。
【００１１】
図３及び４を参照すると、車両と、他の車両等のような物体との間の側部衝撃衝突の図と、側部衝撃衝突からの衝撃力を描いた車両内装内の車両座席フレーム組み立て体１２がそれぞれ示されている。さらに詳細には、図３は、静止している車両の側部に衝突した動いている車両の衝撃点を示す。参照符号、大きさ、衝撃荷重／力の方向は、車両と他の物体との間の衝撃速度、車両上の衝撃場所、衝撃方向、などのような変数／係数の変化に依存して変動する。例えば、衝突は、異なる方向及び大きさを有する一つ或いは幾つかの荷重経路の結果としてなる。この具体例にあって、側部衝撃は、車両ドア（Ｄ）及び車体（Ｂ）を通して全体的に斜め下方向に、車両の中央部及び中央コンソール（Ｃ）に向かう第１荷重経路（Ｌ１）と、車両ドア（Ｄ）及び車体（Ｂ）を通して全体的に水平方向に、車両の中央部及び中央コンソール（Ｃ）に向かう第２荷重経路（Ｌ２）を、図４に示すように、作り出す。これらの衝撃力又は荷重は、車両１０に多大な損害と、左側が見逃されるか、又は衝撃が緩和されていないと、乗員に深刻な負傷を引き起こしてしまう。本開示の荷重伝達構造又は部材７４は、車両の乗員を従来より保護するために、車両衝撃からの一つ以上の荷重又は衝撃力を伝達するのを助ける。さらに詳細には、荷重伝達構造７４は、衝突荷重を座席組み立て体を通して、中央コンソール（Ｃ）及び／又は中央車両体（Ｂ）に伝達するために、荷重経路の方向に座席フレーム２４を補強する。
【００１２】
図５及び６を参照すると、本開示の荷重伝達構造又は部材７４を有する背もたれ２４が示されている。背もたれ２４は、第１側部部材２６、第２側部部材２８、下部横部材３０、上部横部材３２、及び中間横部材３３を備える。第１側部部材２６は第１端部（上端部）３４及び第２端部（下端部）３６を備え、第２側部部材２８は第１端部（上端部）３８及び第２端部（下端部）４０を備える。第１及び第２の側部部材２６、２８は、全体的に相互に平行に配置され、所定の距離をもって離間されている。下部横部材３０は、第１及び第２端部４２、４４を備え、下部横部材４２の第１端部が第１側部部材３６の第２端部に連結され、下部横部材４４の第２端部が第２側部部材４０の第２端部に連結されるように、第１及び第２側部部材２６、２８の間で全体的に直交するように配置される。上部横部材４６は、上部横部材４６の第１端部が第１側部部材３４の第１端部に連結され、上部横部材４６の第１端部が第１側部部材３４の第１端部に連結されるように、第１及び第２側部部材２６、２８の間に全体的に直交するように配置される。中間横部材３３は、第１端部５０及び第２端部５２を含み、中間横部材３３の第２端部５２が第２側部部材２８の中間部に結合され、中間横部材３３の第１端部５０が下部横部材３０の中間部に連結されるように、全体的に第２側部部材２８の中間部と下部横部材３０の中間部との間に斜めに延びている。背もたれフレーム２４は、そこに、頭部保持部１８のような他の座席構造を連結するために、上部横部材３２に結合される第１及び第２のブラケット部材５４、５６をさらに含む。斜めに取り付けられた中間横部材３３は、座席組み立て体１２を通して或いは周辺を通して斜めの荷重経路からの衝撃荷重を効果的に伝達する荷重伝達構造又は部材３４として作用する。この具体例にあって、中間横部材３３は、上部横部材３２と一体であり、単一のまとまった（一体化された）本体を形成する。中間横部材３３の位置及び方向は、様々な要求、必要性、及び基準に依存して変えることができる。全体的に、中間横部材３３は、座席フレーム２４の外側寄りの側部（車両のドア側近傍）から車両の中央部に向けて座席フレーム２４の内側寄り側部に離れて延びる。したがって、中間横部材３３は、第２側部部材２８から運転者側座席組み立て体１２用の下部横部材３０に、図５に示すように下側に向けて延びる。乗員側組み立て体１２用に、中間横部材３３は、第１側部部材２６から下方に下部横部材３０に向けて延びる。
【００１３】
前記中間横部材は、それらの表面から延びる側壁、他の部材を取り付けるため、及びオーバーラップするためのチャンネル／溝、開口、取り付け表面、フランジ、延長部等を有する。この具体例にあって、第１及び第２側部部材２６、２８は、外側の端部６２にて第１（前部）表面６０から全体的に直交して延びる第１（外側）側壁５８と、内側の端部６６にて第１（前部）表面６０から全体的に直交して延びる第２（内側）側壁６４を、全体的にＵ形状のチャンネル６８を形成するために、備える。
【００１４】
背もたれフレーム２４の部材は、様々な配置、大きさ、形状などを有することができることを理解すべきである。例えば、背もたれフレーム２４の部材は、平面部材、管状部材などに全体的に打ち抜き加工され、さらに矩形、円形、楕円形、不規則、Ｕ形状などのような所定の断面プロフィールを有する。この具現化例にあって、上部横部材３２及び中間横部材３３は、管状断面プロフィールを有する。さらに、背もたれフレーム２４の部材は、それら部材を強化し、付加伝達を容易にする、波形／畳み込み、ディンプル、リブ、開口などのような付加的な特徴を有してもよい。
【００１５】
中間横部材３３は、中間横部材３３が連結され、さらに第１側部部材２６から下に延びるような反対の方向に、他の構造にて配置されることができることを理解すべきである。中間横部材３３は、斜めの中間横部材３３が反対方向にて各側部部材２６、２８から第２の中間横部材３３が斜めに延びるのを理解すべきである。
【００１６】
背もたれフレーム２４の部品は、金属、合金、高強度スチール（ＨＳＳ）などのような、様々な材料で形成され、加熱処理などのような様々な処理を用いて処理される。背もたれ２４の部品は、溶接、レーザ溶接、留め具、ボルトなどのような様々な技術を用いて一緒に結合される。背もたれ２４は、本開示を通して説明されるような、他の荷重伝達構造、デバイス、あるいは機構７４にも連結される。
【００１７】
図７を参照すると、荷重伝達構造１７４を有する背もたれフレームの他の構造が示される。この具体例にあって、背もたれフレーム１２４は、図５の背もたれと類似しており、同様の特徴には同様の参照番号を付している。背もたれフレーム１２４は、上部横部材１３２とは一体化されていない中間横部材１３３を含む。中間横部材１３３は、管状及び矩形の断面プロファイルを有する。これは、中間横部材１３３の合成体に、上部横部材１３２とは異なる断面プロファイルを持たせるのを可能とする。この具現化例にあって、中間横部材１３３は、矩形の断面プロファイルを有し、荷重伝達構造１７４として作用する。
【００１８】
図８を参照すると、荷重伝達構造２７４を有する背もたれフレーム２２４の他の具体例が示されている。この具現化例にあって、背もたれフレーム２２４は、図５の背もたれと類似しており、同様の特徴には同様の参照番号を付している。背もたれフレーム２２４は、上部横部材１３２とは一体化されていない中間横部材２３３を含む。中間横部材２３３は、全体的に細長い平面部材である。これは、中間横部材２３３の合成体に、上部横部材２３２とは異なる断面プロファイルを持たせるのを可能とする。この具現化例にあって、中間横部材２３３は、平坦な断面プロファイルを有し、荷重伝達構造２７４として作用する。中間横部材２３３は、側部部材２２８の内側（例えば、前表面など）や、下部横部材２３３、側部部材の外側（例えば、後表面など）、さらには下部横部材２３３、或いはそれらの組み合わせに、結合されてもよい。
【００１９】
図９Ａ乃至９Ｆを参照すると、荷重伝達構造３７４を有する背もたれ３２４のさらに他の具体例が示されている。背もたれフレーム３２４は、第１側部部材３２６、第２側部部材３２８、下部横部材３３０、上部横部材３３２、及び中間横部材３３３を、図９Ａに示すように備える。これらの部材は、矩形、円形、Ｕ形状などのような所定の断面プロファイルを有する全体的に中空の管である。第１側部部材３２６は第１端部（上端部）３３４及び第２端部（下端部）３３６を備え、さらに第２側部部材３２８は第１側部（上端部）３３８及び第２端部（下端部）３４０を備える。第１及び第２側部部材３２６、３２８は、図９Ｂ、９Ｃ、９Ｆに示すように、第１端部３３４、３３８が上部横部材３３２への取り付けのために全体的にＵ形状の断面を有する全体的に矩形断面を有する。下部横部材３３０は、第１及び第２端部３４２、３４４を備え、さらに第１及び第２側部部材３２６、３２８の間に、下部横部材３４２の第１端部が第１側部部材３３６の第２端部に結合し、下部横部材３４４の第２端部が第２側部部材３４０の第２端部に結合するように、全体的に直交するように配置される。下部横部材３３０は、図９Ｅに示すように、全体的に円形の断面を有する。上部横部材３３２は、第１端部３４５及び第２端部３４８と、さらに全体的に矩形の断面を、図９Ｄに示すように有する。上部横部材３４６は、第１及び第２側部部材３２６、３２８の間に、上部横部材３４６の第１端部が第１側部部材３３４の第１端部に結合し、さらに上部横部材３４８の第２端部が第２側部部材３４０の第１端部に結合するように、全体的に直交するように配置される。中間横部材３３３は第１端部３５０及び第２端部３５２を有し、さらに第１及び第２側部部材３２６、３２８の間に直交して配置されており、中間横部材３５０の第１端部は第１側部部材３２６の中間位置に結合され、中間横部材３５２の第２端部は第２側部部材３２８の中間位置に結合される。中間横部材３３３は、全体的に矩形の断面を有する。背もたれフレーム３２４は、頭部保持部３１８のような他の座席構造物を上部横部材３３２に結合するために、上部横部材３３２に結合される第１及び第２ブラケット部材３５４、３５６をさらに備える。第１及び第２側部部材３２６、３２８は、そこに結合される第１及び第２の補強部材３５８、３６０をさらに備える。第１及び第２の補強部材は、それぞれ第１端部（上端部）３６２、３６６及び第２端部（下端部）３６４、３６８を有する。第１及び第２補強部材３６２、３６６の第１端部は、さらに中間横部材３３３の少なくとも一部を支持するために拡張部３７０、３７２をさらに備える。
【００２０】
背もたれフレーム３２４の部品は、金属、合金、高強度スチール（ＨＳＳ）などのような様々な材料から作られ、さらに熱処理などのような様々な処理を用いて処理される。背もたれ３２４の部品は、溶接、レーザ溶接、留め具、ボルトなどにような種々の技術を用いて一緒に結合される。この具体例にあって、下部横部材（側部荷重管）３３０、上部横部材３３２、及び中間横部材３３は、車両衝突衝撃からの荷重を効果的に伝達する荷重伝達構造３７４として作用する。背もたれフレーム３２４は、本開示を通して説明されるような、他の荷重伝達構造、デバイス、或いは機構３７４に結合される。
【００２１】
図１０Ａ及び１０Ｂによれば、荷重伝達構造又は部材４７４を有する背もたれフレーム４２４のさらに他の具体例が示されている。この具体例にあって、荷重伝達構造４７４は、形状、大きさ、材料の種類、厚さなどのような所定の特徴を有する補強部材である。この具体例にあって、荷重伝達構造４７４は、第１及び第２端部４７６、４７８を有する矩形の管状断面（図１０Ｂに示される）を有する全体的に細長の部材である。荷重伝達構造４７４は、第１端部４７６が第１側部部材４２６に隣接し、さらに第２端部４７８が第２側部部材４２８に隣接するように、背もたれ４２４に結合される。さらに詳細には、荷重伝達構造４７４は、背もたれ４２４を選択的に補強するため、さらに車両の側部衝撃衝突からの荷重を効果的に伝達するために、背もたれフレーム４２４の第１及び第２側部部材４２６、４２８の間に配置される。代替的に、荷重伝達構造４７４は、図１１に示すように、背もたれフレーム４２４の第１及び第２側部部材４２６、４２８の間に斜めに配置される。さらに別の代替によれば、図１２に示すように、複数の伝達構造４７４が背もたれ４２４の第１及び第２側部部材４２６、４２８の間に斜めに配置される。
【００２２】
様々な具現化例として示されている荷重伝達構造、デバイス及び機構の構成及び配置は、説明としてのものであることを留意するのが重要である。この開示にあっては、多少の具体例のみが説明されたが、本開示を理解する当業者が、本明細書にて説明された発明の主題の新規な技術及び効果から材料的にはずれることのない、多くの変更（例えば、様々な大きさ、寸法、構造、形状及び様々な部品の比率、パラメータの値、取付配置、材料使用、カラー、方向付けなど）が可能であることを容易に理解できる。例えば、一体に形成されるとして示された要素は、複数の要素又は部品からなり、部品の位置は反転されてもあるいは変化されてもよく、さらに分離の部品或いは位置の特性又は数は変更されても、あるいは変化されてもよい。処理又は方法ステップの複数のオーダー又はシーケンスは、代替の具体例にあっては変化されても、あるいは再度並べ替えられてもよい。
【００２３】
本開示の多くの変更及びバリエーションは、上述の教示に照らして可能である。それゆえ、細かな説明以外に、添付の特許請求の範囲内で本開示は実施される。
【図１】
2013500904.tif 000003
【図２】
2013500904.tif 000004
【図３】
2013500904.tif 000005
【図４】
2013500904.tif 000006
【図５】
2013500904.tif 000007
【図６】
2013500904.tif 000008
【図７】
2013500904.tif 000009
【図８】
2013500904.tif 000010
【図９Ａ】
2013500904.tif 000011
【図９Ｂ】
2013500904.tif 000012
【図９Ｃ】
2013500904.tif 000013
【図９Ｄ】
2013500904.tif 000014
【図９Ｅ】
2013500904.tif 000015
【図９Ｆ】
2013500904.tif 000016
【図１０Ａ】
2013500904.tif 000017
【図１０Ｂ】
2013500904.tif 000018
【図１１】
2013500904.tif 000019
【図１２】
2013500904.tif 000020
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
第１端部、第２端部、内部表面及び外部表面を有する第１側部部材と、第１端部、第２端部、内部表面及び外部表面を有する第２側部部材であり、相互に離間されている第１側部部材と第２側部部材と、
前記第１側部部材の前記第１端部に結合される第１端部及び前記第２側部部材の前記第１端部に結合される第２端部を有する上部横部材と、
前記第１側部部材の前記第２端部に結合される第１端部及び前記第２側部部材の前記第２端部に結合される第２端部とを有する下部横部材と、
前記第１側部部材及び前記第２側部部材のうちの一つに結合される第１端部及び前記第１側部部材、前記第２側部部材及び前記下部横部材の一つに結合される第２端部を有する荷重伝達部材であり、座席組み立て体を通して衝撃からの荷重を伝達する荷重伝達構造である荷重伝達部材と
を備える車両座席組み立て体に使用される背もたれフレーム。
【請求項２】
前記荷重伝達部材が前記下部横部材に斜め下向きに延びるように、前記荷重伝達部材の前記第１端部は前記第１側部部材及び第２側部部材の一つと結合され、前記第２側部は前記下部横部材に結合され、さらに前記荷重伝達部材は前記座席組み立て体を通して側部衝撃からの前記荷重を伝達する荷重伝達構造である、請求項１記載の背もたれフレーム。
【請求項３】
前記荷重伝達部材が下部横部材に斜め下向きに延びるように、前記荷重伝達部材の前記第１端部は前記下部横部材の中間部に結合し、前記第２端部は前記第２側部部材の中間部に結合し、さらに前記荷重伝達部材は前記座席組み立て体を通して側部衝撃からの前記荷重を伝達する荷重伝達構造である、請求項１記載の背もたれフレーム。
【請求項４】
前記荷重伝達部材の前記第１端部は、前記第１側部部材の中間部に結合され、前記荷重伝達部材の前記第２端部は前記第２側部部材の中間部に結合されて、さらに前記荷重伝達部材は前記座席組み立て体を通して側部衝撃からの前記荷重を伝達する荷重伝達構造である、請求項１記載の背もたれフレーム。
【請求項５】
第１端部及び第２端部を有し、第１側部部材の前記内側表面に結合される第１補強部材と、第１端部と前記第２側部部材の前記内側表面に結合される第２端部とを有する第２補強部材とをさらに備え、前記第１補強部材の前記第１端部は前記中間横部材の前記第１端部を支持し、前記第２補強部材の前記第１端部は前記中間横部材の前記第２端部を支持する、請求項４記載の背もたれフレーム。
【請求項６】
前記上部横部材、前記下部横部材、及び前記荷重伝達部材の少なくとも一つは、管状である、請求項１記載の背もたれフレーム。
【請求項７】
前記上部横部材、前記下部横部材、及び前記荷重伝達部材は、矩形、円形、楕円形及びＣ形状断面の一つを有する、請求項１記載の背もたれフレーム。
【請求項８】
前記上部横部材及び前記荷重伝達部材は一体型であり、単一の一体化部材として形成される、請求項１記載の背もたれフレーム。
【請求項９】
前記上部横部材及び前記荷重伝達部材は矩形の断面を有する管状である、請求項１記載の背もたれフレーム。
【請求項１０】
前記下部横部材は円形断面を有する管状であり、座席組み立て体を通して衝撃からの荷重を伝達する荷重伝達構造である、請求項１記載の背もたれフレーム。
【請求項１１】
前記第１側部部材の前記中間部に結合される第１端部及び前記下部横部材の前記中間部に結合される第２端部を有する第２荷重伝達部材であって、前記下部横部材に斜め下向きに延びる第２荷重伝達部材をさらに備え、前記第２荷重伝達部材は前記座席組み立て体を通して衝撃からの荷重を伝達する荷重伝達構造である、請求項１記載の背もたれフレーム。
【請求項１２】
水平及び斜めのパターンのうちの一つで背もたれフレームを横切って少なくとも部分的に延びる複数の荷重伝達部材をさらに備える、請求項１記載の背もたれフレーム。
【請求項１３】
第１端部、第２端部、内部表面及び外部表面を有する第１側部部材と、第１端部、第２端部、内部表面及び外部表面を有する第２側部部材であり、相互に離間されている第１側部部材と第２側部部材と、
前記第１側部部材の前記第１端部に結合される第１端部及び前記第２側部部材の前記第１端部に結合される第２端部を有する上部横部材と、
前記第１側部部材の前記第２端部に結合される第１端部及び前記第２側部部材の前記第２端部に結合される第２端部とを有する下部横部材と、
前記第２側部部材に結合される第１端部及び前記下部横部材に結合される第２端部を有する荷重伝達部材であって、前記荷重伝達部材が前記下部横部材に斜め下向きに、さらに前記車両の中央に向かって延びる荷重伝達部材であり、前記座席組み立て体を通して側部衝撃から荷重を伝達する単一の一体化部材を形成する前記上部横部材に一体化される、荷重伝達部材と
を備える車両座席組み立て体に使用される背もたれフレーム。
【請求項１４】
前記上部横部材及び下部横部材は管状であり、矩形断面を有する、請求項１３に記載の背もたれフレーム。
【請求項１５】
第１端部、第２端部、内部表面及び外部表面を有する第１側部部材と、第１端部、第２端部、内部表面及び外部表面を有する第２側部部材であり、相互に離間されている第１側部部材と第２側部部材と、
前記第１側部部材の前記第１端部に結合される第１端部及び前記第２側部部材の前記第１端部に結合される第２端部を有する上部横部材であり、管形状で矩形断面を有する上部横部材と、
前記第１側部部材の前記第２端部に結合される第１端部及び前記第２側部部材の前記第２端部に結合される第２端部とを有する下部横部材と、
前記第２側部部材に結合される第１端部及び前記下部横部材に結合される第２端部を有する荷重伝達部材であって、前記荷重伝達部材が前記下部横部材に斜め下向きに、さらに前記車両の中央に向かって延びる荷重伝達部材であり、管形状でさらに矩形の断面を有し、前記座席組み立て体を通して側部衝撃から荷重を伝達する単一の一体化部材を形成する前記上部横部材に一体化される、荷重伝達部材と
を備える車両座席組み立て体に使用される背もたれフレーム。
【国際調査報告】
2013500904.tif 000021